(57)【要約】  眼科レンズの視覚的効果を特定する、コンピュータ手段によって実施される方法であって、−  眼科レンズの光学機能に関連する光学データが受信される、光学データ受信ステップ（Ｓ１）と、−  ユーザの視覚的環境の少なくとも１つの画像が取得される、取得ステップ（Ｓ２）と、−  ユーザの視覚的環境の取得画像の深度マップが特定される、深度マップ特定ステップ（Ｓ３）と、−  深度マップ及び光学データに基づいて、眼科レンズを通して視覚的環境を見た場合、眼科レンズによってもたらされるであろう視覚的効果が特定される、視覚的効果特定ステップ（Ｓ４）とを含む、方法。
2016532147.tif 000002
【特許請求の範囲】
【請求項１】
眼科レンズの視覚的効果を特定する、コンピュータ手段によって実施される方法であって、
−  眼科レンズの光学機能に関連する光学データが受信される、光学データ受信ステップ（Ｓ１）と、
−  ユーザの視覚的環境の少なくとも１つの画像が取得される、取得ステップ（Ｓ２）と、
−  前記ユーザの前記視覚的環境の前記取得画像の深度マップが特定される、深度マップ特定ステップ（Ｓ３）と、
−  前記深度マップ及び前記光学データに基づいて、前記眼科レンズを通して前記視覚的環境を見た場合、前記眼科レンズによってもたらされるであろう視覚的効果が特定される、視覚的効果特定ステップ（Ｓ４）と
を含む、方法。
【請求項２】
前記視覚的効果は、前記眼科レンズを通して前記視覚的環境を見た場合、前記眼科レンズによってもたらされるであろうぼやけ及び／又は歪みが特定されることを含む、請求項１に記載の方法。
【請求項３】
前記深度マップ特定ステップは、前記深度マップのオクルージョンの少なくとも部分が充填されるオクルージョン充填ステップを含む、請求項１又は２に記載の方法。
【請求項４】
前記光学データは、前記眼科レンズの屈折力マップを含む、請求項１〜３の何れか一項に記載の方法。
【請求項５】
前記視覚的効果特定ステップ中、前記視覚的効果は、前記深度マップ及び前記屈折力マップを結合することによって特定される、請求項４に記載の方法。
【請求項６】
前記取得ステップ、前記深度マップ特定ステップ、前記視覚的効果特定ステップは、少なくとも１５Ｈｚの周波数で繰り返される、請求項１〜５の何れか一項に記載の方法。
【請求項７】
前記取得ステップ中、前記ユーザの前記視覚的環境の少なくとも２つの画像が、２つの異なる取得点から取得される、請求項１〜６の何れか一項に記載の方法。
【請求項８】
眼科レンズの視覚的効果をユーザに対して実証する方法であって、
−  前記眼科レンズの前記視覚的効果が、請求項１〜７の何れか一項に記載の方法を使用して特定される、視覚的効果特定ステップと、
−  適応視覚的環境画像が、取得ステップ中に取得される視覚的環境の画像と、前記視覚的効果特定ステップ中に特定される前記視覚的効果との組合せに基づいて特定される、視覚的環境適応ステップと、
−  前記適応視覚的環境画像が前記ユーザに表示される、表示ステップと
を含む、方法。
【請求項９】
光学データは前記眼科レンズの歪みマップを含み、及び前記視覚的環境適応ステップ中、前記適応視覚的環境画像は、前記取得ステップ中に取得される前記視覚的環境の前記画像と、前記視覚的効果特定ステップ中に特定される前記視覚的効果と、前記光学データに含まれる前記歪みマップとの組合せに基づく、請求項８に記載の方法。
【請求項１０】
前記方法は、光学データ受信ステップの前に、眼科レンズ選択ステップを含み、前記眼科レンズ選択ステップ中、実証される眼科レンズのタイプが、眼科レンズリストから選択され、及び前記光学データは、前記選択される眼科レンズの光学機能に関連する、請求項８又は９に記載の方法。
【請求項１１】
前記取得ステップ、深度マップ特定ステップ、前記視覚的効果特定ステップ、前記視覚的環境適応ステップ、及び前記表示ステップは、少なくとも１５Ｈｚの周波数で繰り返される、請求項８〜１０の何れか一項に記載の方法。
【請求項１２】
少なくとも２枚の眼科レンズを比較する方法であって、請求項８〜１１の何れか一項に記載の方法を使用して、少なくとも２枚の眼科レンズの視覚的効果をユーザに対して実証するステップを含む、方法。
【請求項１３】
眼科レンズを注文する方法であって、
−  請求項１２に記載の方法により、少なくとも２枚の眼科レンズを比較するステップと、
−  前記比較された眼科レンズの中から眼科レンズを選択するステップと、
−  レンズ提供者に、少なくとも、前記選択された眼科レンズの参照と、装着者の眼科処方箋の参照とを含む注文要求を送信するステップと
を含む、方法。
【請求項１４】
プロセッサがアクセス可能であり、前記プロセッサによって実行されると、請求項１〜１３のステップを前記プロセッサに実行させる１つ又は複数の記憶命令シーケンスを含むコンピュータプログラム製品。
【請求項１５】
請求項１４に記載のコンピュータプログラム製品の１つ又は複数の命令シーケンスを保持するコンピュータ可読媒体。
【発明の詳細な説明】
【技術分野】
【０００１】
本発明は、眼科レンズの視覚的効果をユーザに実証する方法、２枚の眼科レンズを比較する方法、眼科レンズ注文方法、及びコンピュータプログラム製品に関する。
【背景技術】
【０００２】
本明細書での本発明の背景の考察は、本発明の背景を説明するために包含される。これは、引用される任意の資料が、任意の特許請求の範囲の優先日において公開されていた、既知であった、又は一般知識の一部であったことを認めるものとして解釈されるべきではない。
【０００３】
通常、眼鏡を掛ける必要があり、したがって、眼科医によって記入された処方箋を有する人は、眼鏡技師の店に行き、特定の眼科レンズの対を選択する。所与の処方箋に対して、異なる光学設計を有する異なる眼科レンズを提供し得る。異なる設計は、異なるレベルの視覚的快適性を潜在的な装着者に提供し得る。
【０００４】
したがって、潜在的な装着者の眼科処方箋に利用可能な異なる光学設計の視覚的効果の実証を潜在的な装着者に提供することが重要である。
【０００５】
欧州特許第２２３０９８８号明細書には、眼科レンズの視覚的効果を実証する方法が開示されている。そのような方法は、コンピュータ生成画像にわたり眼科レンズの光学効果、特にぼやけの少なくとも部分をシミュレーションすることにある。
【０００６】
そのようなシステムは、実施が高価であり、高度な機器を必要とし、可搬性がない。
【０００７】
欧州特許第２１９８７６９号明細書には、眼科レンズの光学効果を実証する方法及び装置が開示されている。この方法は、眼科レンズの備えられた、所与の光学設計にシーンを撮影させるカメラを使用することにある。シーンの画像は表示されて、そのような光学レンズの光学効果の実証を潜在的な装着者に提供する。
【０００８】
そのような方法は、潜在的な装着者によってテストされ得る異なる光学レンズの数によって制限される。実際に、この方法は、光学レンズを物理的に有する必要がある。したがって、テストし得る光学レンズの数は制限される。
【発明の概要】
【発明が解決しようとする課題】
【０００９】
したがって、上記欠点を有さない、特に、現実世界のシーンで実行され、多数の眼科レンズを有する必要がないであろう眼科レンズの視覚的効果を特定する方法が必要であることは明らかである。
【００１０】
本発明の目的は、そのような方法を提供することである。
【課題を解決するための手段】
【００１１】
このために、本発明は、眼科レンズの視覚的効果を特定する、例えば、コンピュータ手段によって実施される方法であって、
−  眼科レンズの光学機能に関連する光学データが受信される、光学データ受信ステップと、
−  ユーザの視覚的環境の少なくとも画像が取得される、取得ステップと、
−  ユーザの視覚的環境の取得画像の深度マップが特定される、深度マップ特定ステップと、
−  深度マップ及び光学データに基づいて、眼科レンズを通して視覚的環境を見た場合、眼科レンズによってもたらされるであろう視覚的効果が特定される、視覚的効果特定ステップと
を含む、方法を提案する。
【００１２】
有利には、本発明による方法では、現実世界にわたる眼科レンズの光学効果、例えば、ぼやけを特定することができる。更に、本発明による方法は、物理的な光学レンズを使用する必要がなく、本発明の方法を使用して実証し得る異なる光学設計の数は制限されない。
【００１３】
単独で、又は任意の可能な組合せで考慮することができる眼科レンズの視覚的効果を特定する方法の更なる実施形態によれば、
−  視覚的効果は、眼科レンズを通して視覚的環境を見た場合、眼科レンズによってもたらされるであろうぼやけ及び／又は歪みが特定されることを含み、且つ／又は
−  深度マップ特定ステップは、深度マップのオクルージョンの少なくとも部分が充填されるオクルージョン充填ステップを含み、且つ／又は
−  光学データは、眼科レンズの屈折力マップを含み、且つ／又は
−  視覚的効果特定ステップ中、視覚的効果は、深度マップ及び屈折力マップを結合することによって特定され、且つ／又は
−  取得ステップ、深度マップ特定ステップ、視覚的効果特定ステップは、少なくとも１５Ｈｚの周波数で繰り返され、且つ／又は
−  取得ステップ中、ユーザの視覚的環境の少なくとも２つの画像が、２つの異なる取得点から取得される。
【００１４】
本発明は、眼科レンズの視覚的効果をユーザに対して実証する方法であって、
−  眼科レンズの視覚的効果が、本発明による方法を使用して特定される、視覚的効果特定ステップと、
−  適応視覚的環境画像が、取得ステップ中に取得される視覚的環境の画像と、視覚的効果特定ステップ中に特定される視覚的効果との組合せに基づいて特定される、視覚的環境適応ステップと、
−  適応視覚的環境画像がユーザに表示される、表示ステップと
を含む、方法に更に関する。
【００１５】
単独で、又は任意の可能な組合せで考慮することができる眼科レンズの視覚的効果を実証する方法の更なる実施形態によれば、
−  光学データは眼科レンズの歪みマップを含み、及び視覚的環境適応ステップ中、適応視覚的環境画像は、取得ステップ中に取得される視覚的環境の画像と、視覚的効果特定ステップ中に特定される視覚的効果と、光学データに含まれる歪みマップとの組合せに基づき、且つ／又は
−  光学データ受信ステップの前に、眼科レンズ選択ステップを含み、眼科レンズ選択ステップ中、実証される眼科レンズのタイプが、眼科レンズリストから選択され、及び光学データは、選択される眼科レンズの光学機能に関連し、且つ／又は
−  取得ステップ、深度マップ特定ステップ、視覚的効果特定ステップ、視覚的環境適応ステップ、及び表示ステップは、少なくとも１５Ｈｚの周波数で繰り返される。
【００１６】
本発明は、少なくとも２枚の眼科レンズを比較する方法であって、本発明による方法を使用して、少なくとも２枚の眼科レンズの視覚的効果をユーザに対して実証するステップを含む、方法にも関する。
【００１７】
本発明は、眼科レンズを注文する方法であって、
−  本発明の方法により、少なくとも２枚の眼科レンズを比較するステップと、
−  比較された眼科レンズの中から眼科レンズを選択するステップと、
−  レンズ提供者に、少なくとも、選択された眼科レンズの参照と、装着者の眼科処方箋の参照とを含む注文要求を送信するステップと
を含む、方法に更に関する。
【００１８】
更なる態様によれば、本発明は、プロセッサがアクセス可能であり、プロセッサによって実行されると、本発明による方法のステップをプロセッサに実行させる１つ又は複数の記憶命令シーケンスを含むコンピュータプログラム製品に関する。
【００１９】
本発明は、本発明によるコンピュータプログラム製品の１つ又は複数の命令シーケンスを保持するコンピュータ可読媒体に更に関する。
【００２０】
更に、本発明は、本発明の方法をコンピュータに実行させるプログラムに関する。
【００２１】
本発明は、プログラムが記録されたコンピュータ可読記憶媒体にも関し、プログラムは、コンピュータに本発明の方法を実行させる。
【００２２】
本発明は、１つ又は複数の命令シーケンスを記憶し、本発明による方法のステップの少なくとも１つを実行するように構成されるプロセッサを備える装置に更に関する。
【００２３】
特に別段のことが記載される場合を除き、以下の考察から明らかなように、本明細書全体を通して、「計算する」、「算出する」等の用語を利用する考察が、計算システムのレジスタ及び／又はメモリ内の電子等の物理的数量として表されるデータを操作し、且つ／又は計算システムのメモリ、レジスタ、又は他のそのような情報記憶装置、電送装置、若しくは表示装置内の物理的数量として同様に表される他のデータに変換するコンピュータ、計算システム、又は同様の電子計算装置の動作及び／又はプロセスを指すことが理解される。
【００２４】
本発明の実施形態は、本明細書における動作を実行する装置を含み得る。この装置は、所望の目的に向けて特に構築されてもよく、又はコンピュータに記憶されたコンピュータプログラムによって選択的にアクティブ化若しくは再構成される汎用コンピュータ若しくはデジタル信号プロセッサ（「ＤＳＰ」）を含み得る。そのようなコンピュータプログラムは、フロッピー（登録商標）ディスク、光ディスク、ＣＤ−ＲＯＭ、磁気光学ディスク、読み取り専用メモリ（ＲＯＭ）、ランダムアクセスメモリ（ＲＡＭ）、電気的プログラム可能読み取り専用メモリ（ＥＰＲＯＭ）、電気的消去可能プログラム可能読み取り専用メモリ（ＥＥＰＲＯＭ）を含む任意のタイプのディスク、磁気カード、光学カード、又は電子命令の記憶に適し、コンピュータシステムバスに結合可能な任意の他のタイプの媒体等であるが、これらに限定されないコンピュータ可読記憶媒体に記憶し得る。
【００２５】
プロセス及び表示は本質的に、如何なる特定のコンピュータ又は他の装置にも関連しない。様々な汎用システムは、本明細書での教示によるプログラムと併用し得、又は所望の方法を実行するより専用的な装置を構築することが好都合であることが判明し得る。様々なこれらのシステムの所望の構造は、以下の説明から明らかになろう。更に、本発明の実施形態は、如何なる特定のプログラミング言語も参照して説明されていない。様々なプログラミング言語を使用して、本明細書に記載される本発明の教示を実施し得ることが理解されよう。
【００２６】
これより、本発明の非限定的な実施形態について、添付図面を参照して説明する。
【図面の簡単な説明】
【００２７】
【図１】本発明の実施形態による方法のステップを表すフローチャートである。
【図２】本発明による方法において画像生成に使用される光路を示す図である。
【図３】ユーザの視覚的環境の物体、ユーザの目、及び眼科レンズの空間関係を示す図である。
【発明を実施するための形態】
【００２８】
図１に示される本発明の実施形態によれば、本発明の方法は、眼科レンズの視覚的効果、特にぼやけの影響をユーザに実証する方法であり、
−  光学データ受信ステップＳ１、
−  取得ステップＳ２、
−  深度マップ特定ステップＳ３、
−  ぼやけ特定ステップＳ４、
−  視覚的環境適応ステップＳ５、
−  表示ステップＳ６
を含む。
【００２９】
光学データ受信ステップＳ１中、眼科レンズの光学機能に関連する光学データが受信される。
【００３０】
光学機能は、眼科レンズの光学特徴、その中でも、眼科レンズの屈折力分布、円筒分布、及び分光透過を含む。
【００３１】
より詳細には、光学データは、光学効果を実証すべき眼科レンズの屈折力マップを含む。
【００３２】
取得ステップＳ２中、装着者の視覚的環境の少なくとも１つの画像が取得される。
【００３３】
視覚的環境の画像は、従来のカメラ、電荷結合素子（ＣＣＤ）、相補型金属酸化膜半導体（ＣＭＯＳ）、又は画像を捕捉し、且つ／又は画像を表すビデオ信号を生成する活性エリアを含む、例えば、矩形若しくは他のアレイのピクセルを含む他の光子検出器を使用して取得し得る。
【００３４】
好ましい実施形態によれば、視覚的環境の画像は、２つの異なる取得点に配置される２台のカメラを使用して取得される。例えば、本発明者らは、Ｋｉｎｅｃｔ装置を使用して本発明の方法を実施した。概念は、２つの取得点を有して、仮想環境の両眼視を得ることである。
【００３５】
深度マップ特定ステップＳ３中、視覚的環境の画像に対応する視覚的環境の深度マップが特定される。深度マップは、ユーザの目に対応する特定のポイントからの視覚的環境の点までの距離を示す二次元画像である。
【００３６】
深度マップは、任意のレンジ撮像技術を使用して特定し得る。
【００３７】
静止カメラシステムが、例えば、静止カメラの焦点間の線の中点からの視覚的環境の深度マップを特定するのに使用可能である。
【００３８】
仮想環境の点の深度を特定するために、異なる画像内の対応する点が見つけられ、比較される。
【００３９】
概念は、両カメラによって得られた画像の差異を、視覚的環境内の物体の近接度に関連付けることである。例えば、第１のカメラによって得られる画像の各点は、第２のカメラによって得られる画像の点と照合される。そのような照合プロセスから、ユーザの視覚的環境の点毎差異マップを特定することが可能である。視覚的環境の点毎深度マップは、差異マップに基づいて特定することができる。
【００４０】
本発明者らは、ＰｒｉｍｅＳｅｎｓｅ社によって開発されたＫｉｎｅｃｔ装置を使用して良好な結果を得た。Ｋｉｎｅｃｔは、
（ａ）コヒーレント光源及び光源から物体に向かって伝搬し、それにより、物体にコヒーレントランダムスペクトルパターンを投影する、照明光の光路に適応するランダムスペクトルパターンの生成器を備える照明ユニットと、
（ｂ）照明領域の光応答を検出し、画像データを生成する撮像ユニットであって、画像データは、スペクトルパターンが投影された物体、ひいては上記パターンの参照画像に相対する物体画像内のパターンのシフトを示し、それにより、システムは、物体の三次元マップのリアルタイム再構築を可能にする、撮像ユニットと
を備えるシステムである。
【００４１】
Ｋｉｎｅｃｔシステムは、国際公開第２００７０４３０３６号パンフレットに詳細に開示されている。
【００４２】
有利には、この技術は、照明状況に関係なく実行し得る。
【００４３】
本発明の更なる実施形態によれば、深度マップは、他の手段により、例えば、そのようなソナー式装置、レーダ式装置、飛行時間カメラ等のライダー式装置、特定の深度マップ特定装置を使用して得られる。
【００４４】
飛行時間カメラは、既知の高速、カメラとユーザの視覚的環境の各点との間の光信号の飛行時間を測定して距離を分解するレンジ撮像カメラシステムである。
【００４５】
特定された深度マップは、オクルージョン、すなわち、深度が特定されていない視覚的環境の点を含み得、特にこれは、環境の他の要素の影によって隠された視覚的環境の画像の部分に対して生じ得る。
【００４６】
したがって、本発明による方法は、深度マップのオクルージョンの少なくとも部分、例えば少なくとも７５％、好ましくは少なくとも９０％が充填されるオクルージョン充填ステップを更に含み得る。
【００４７】
そのようなオクルージョンを充填する多くのアルゴリズムが利用可能である。例えば、数学的モルフォロジー演算に基づくアルゴリズムを使用し得る。
【００４８】
本発明者らによってテストされるアルゴリズムの数の中でも、充填すべきエリアの分類に基づくアルゴリズムは、良好な結果を提供することが証明されており、特に、本発明の方法のリアルタイム版に一致することが証明されている。
【００４９】
分類基準は、深度マップの取得に使用された２台のカメラがシフトされ、シェーディングシステムによって提供される影がマップ上に出現することを考慮に入れる。物体に相対する影の位置は既知である。
【００５０】
影は、「距離のある」物体を隠す場合、「近い」物体の左側に現れる。したがって、エリアの左縁部からのピクセルが右縁部よりも濃い場合、これがグレーエリアであると仮定することができる。
【００５１】
本発明者らは、そのようなタイプのアルゴリズムを使用して特に良好な結果を取得し、特に、３０Ｈｚの周波数でオクルージョンが充填される深度マップを取得することが可能であり、本発明による方法のリアルタイム版を可能にする。
【００５２】
視覚的環境の深度マップが特定された後、眼科レンズの視覚的効果を特定し得る。詳述される特定の実施形態では、眼科レンズのぼやけの影響が特定される。
【００５３】
ぼやけ特定ステップＳ４中、眼科レンズを通して視覚的環境を見た場合に眼科レンズによってもたらされるぼやけが特定される。ぼやけは、深度マップ及び光学データに基づいて特定される。
【００５４】
より一般的には、光学的効果は、所与のレンズ設計の関数として生成される。
【００５５】
光学効果を算出する方法は、図２に示されるようにレイトレーシングを使用し得る。目の回転中心は１１と参照され、視軸は１２と参照され、レンズは１３と参照される。パラメータｌは、レンズの光学中心と目１１の回転中心との間の距離を示す。シーン２の点Ｍに配置される物体１６から来る入射光線１４は、レンズ１３を通して屈折により逸れ、目１１の回転中心Ｃに収束する光線１５を形成し、それにより、閲覧者は、点Ｍ’から来る光線を光線１７として感じる。
【００５６】
レンズ設計を考慮に入れるために、対応する歪みは、ベクトルＭＭ’として導入され、初期点Ｍは点Ｍ’にシフトする。
【００５７】
既知のように、これらの計算ステップの結果として、コンピュータシステムは、各目の第１の画像Ｉ（ｘ，ｙ）を取得し、第１の画像は一般に、鮮鋭な画像である。そのような画像は、矯正レンズの装着者により通常知覚される特定の歪み、例えば、周辺視野で湾曲して見える直線を含む。しかし、図２のＭＭ’等のオフセットを特定するレイトレーシング技法は通常、ピンぼけよるぼやけの影響を再現しない。ぼやけを実証するために、何らかの他の技法を使用して、第１の画像を処理しなければならない。そのような技法の異なる実施形態について以下に考察する。
【００５８】
上述したように、深度マップは、視覚的環境の画像Ｉ（ｘ，ｙ）内のピクセルロケーション（ｘ，ｙ）に深度ｚ（ｘ，ｙ）を関連付ける。ピクセルロケーション（ｘ，ｙ）に関連付けられた深度ｚ（ｘ，ｙ）は、Ｉ（ｘ，ｙ）内のこのピクセルロケーションに現れるシーンの物体１６への閲覧者の目１１の距離を表す。距離パラメータｚ（ｘ，ｙ）の分布、空間データ、及びレンズ設計パラメータから、拡散パラメータΦｄ（ｘ，ｙ）の分布を評価し得る。
【００５９】
図３は、視覚的環境での位置が既知である点物体１６、閲覧者の目１１、及び本発明の場合、眼科レンズに対応する表面３の空間関係を示す。
【００６０】
距離ｚは、ユーザの目（瞳孔）と物体１６との間の距離に対応する。距離Ｄは、ユーザの目（瞳孔）と、物体１６がユーザによって見られる眼科レンズ３の部分との間の距離に対応する。パラメータＩ０は、瞳孔と網膜との間の距離を示す。
【００６１】
図３に示される表面３は、簡潔にするために、シミュレーションされた矯正レンズを示さない。視軸１２の方向での任意のシミュレーション矯正レンズの屈折力に応じて、矯正レンズと、目１１の角膜及び水晶体とを含む結合光学系の焦点は、瞳孔から距離ｚ’に配置される。網膜上の無限にある物体の完全な合焦は、ｚ’＝Ｉ０である場合に生じる。距離ｚにおける点物体１６は、図３の鎖線で示されるように、直径
【数１】
2016532147.tif 000003
のスポットとして網膜上に撮像され、式中、Φｐは瞳孔の直径（開口）を示す。図３に破線で示されるように、直径
【数２】
2016532147.tif 000004
の点物体１６が表面３に表示される場合、略同じスポットが網膜上に生じる。
【００６２】
物体１６は、物体１６が配置されたピクセルロケーションの拡散パラメータと直径Φｄを呼ぶことができるぼやけ領域にわたって延びるものとして、表面３上に表される。矯正レンズがない場合、拡散パラメータΦｄは、
【数３】
2016532147.tif 000005
として推定することができる。
【００６３】
閲覧者の目１１と物体１６との間に延びる光線に沿って配置される眼科レンズの各部分には、画像において物体１６が現れるピクセルロケーションに特定される拡散パラメータΦｄの値の導出に使用される屈折力Ｐｃｏｒｒの局所値が関連付けられる。特に、拡散パラメータΦｄは、
【数４】
2016532147.tif 000006
として近似することができる。
【００６４】
物体までの距離ｚと、眼科レンズのシミュレーション屈折力Ｐｃｏｒｒとの結合効果の良好な近似が、
【数５】
2016532147.tif 000007
への比例によって提供される。
【００６５】
本発明の場合、距離Ｄは、ぼやけが、目（ＣＲＯ）の回転中心から一定距離に留まる眼科レンズに適用される場合、設定される。この距離は、２７ｍｍに設定することができる。ＣＲＯが瞳孔の１０ｍｍにあると仮定される場合、距離Ｄは１７ｍｍである。ＣＲＯと瞳孔との間の距離は、関数の変数パラメータと見なし得る。
【００６６】
ユーザが、調整なしで総遠視であると仮定すると、拡散パラメータは、
【数６】
2016532147.tif 000008
として近似することができ、Ｐｖは、Ｐｃｏｒｒ＝Ｐｗｅａｒｅｒ−Ｐｖにより、Ｐｃｏｒｒに関連する眼科レンズの屈折力である。
【００６７】
本発明の実施形態によれば、眼科レンズの非点収差は、ぼやけを算出する際に考慮される。そのような実施形態によれば、屈折力マップは、眼科レンズの各点で、屈折力、非点収差値、及び非点収差の方向を含む。
【００６８】
換言すれば、
【数７】
2016532147.tif 000009
は、方向に応じて異なる値を有する。拡散パラメータも、方向に応じて異なる値を有する。
【００６９】
非点収差楕円の短半径軸に沿って
【数８】
2016532147.tif 000010
であり、非点収差楕円の長半径軸に沿って
【数９】
2016532147.tif 000011
であり、Ａｓｔは、非点収差及び非点収差の方向によって定義される非点収差楕円の向きである。
【００７０】
デフォルト屈折力のマップを使用して、画像上のぼやけをリアルタイムで計算するアルゴリズムがある。この技法は仮想現実シミュレータで使用されて、環境内の物体の近接度を考慮に入れることで、設計によって生成されるぼやけをリアルタイムを算出する。
【００７１】
適応視覚的環境が、視覚的環境適応ステップＳ５中に特定される。適応視覚的環境は、取得ステップ中に取得される視覚的環境の画像と、ぼやけ特定ステップ中に特定されるぼやけとの組合せに基づく。
【００７２】
本発明の実施形態によれば、適応視覚的環境は、ぼやけ以外の眼科レンズの更なる光学効果を考慮することによって特定し得る。例えば、適応視覚的環境を特定する際に、眼科レンズによってもたらされる歪みを考慮し得る。コーティング又は偏光の影響等の眼科レンズの他の特徴を適応視覚的環境に追加することもできる。
【００７３】
本発明の実施形態によれば、光学データ受信ステップ中に受信される光学データは、眼科レンズの歪みマップを含み得る。歪みマップは、ぼやけ特定ステップ中に特定されるぼやけと組み合わせて使用して、視覚的環境の画像を適応させ得る。
【００７４】
適応視覚的環境は、表示ステップＳ６中にユーザに表示される。表示は２Ｄ又は３Ｄであり得る。表示装置は、コンピュータ画面、ＴＶ画面、コンピュータタブレット、ヘッドマウントディスプレイ装置、又は当業者に既知の任意のタイプであり得る。
【００７５】
本発明の方法を使用して、異なる眼科レンズの視覚的効果を比較し得る。例えば、ユーザの視覚的環境にわたる少なくとも２枚の眼科レンズの視覚的効果が特定される。各眼科レンズに対応する適応視覚的環境が、特定され表示される。
【００７６】
したがって、ユーザは、ユーザの視覚的環境にわたる異なる眼科レンズの視覚的効果を比較することができる。
【００７７】
本発明の実施形態によれば、少なくとも取得ステップ、深度マップ特定ステップ、ぼやけ特定ステップ、視覚的環境適応ステップ、及び表示ステップは、少なくとも１５Ｈｚの周波数、例えば、少なくとも２０Ｈｚの周波数で繰り返される。
【００７８】
有利には、そのような実施形態は、装着者の現実世界のシーンにわたる眼科レンズのリアルタイム視覚的効果を提供する。
【００７９】
本発明の方法は、リアルタイムモードに限定されず、ワンショットピクチャモードで実行することもできる。ワンショットピクチャモードによれば、装着者の視覚的環境の写真が、取得ステップ及び深度マップ特定ステップ中に取得され、ぼやけ特定ステップ、視覚的環境適応ステップ、及び表示ステップは、視覚的環境の写真に対して実行される。
【００８０】
本発明による方法は、利用可能な眼科レンズリストの中から眼科レンズを選択する選択方法として使用し得る。
【００８１】
実際に、光学データ受信ステップの前に、本発明による方法は、眼科レンズ選択ステップを含み得る。眼科レンズ選択ステップ中、実証すべき眼科レンズのタイプは、眼科レンズリストの中から選択される。ユーザは、視覚的効果の実証を得ようとする１つ又は複数の眼科レンズを選択し得る。更に、ユーザは、最も関心のある視覚的効果のタイプ、例えば、ぼやけ又はぼやけ及び歪み等を選択し得る。
【００８２】
ユーザが選択すると、異なる眼科レンズに対応し、異なるタイプのデータを含む光学データが、光学データ受信ステップ中に受信される。
【００８３】
本発明による方法は、眼科レンズを注文する注文方法として使用することもできる。注文方法は、
−  少なくとも２枚の眼科レンズを比較するステップと、
−  比較された眼科レンズの中から眼科レンズを選択するステップと、
−  レンズ提供者に、少なくとも、選択された眼科レンズの参照と、装着者の眼科処方箋の参照とを含む注文要求を送信するステップと
を含み得る。
【００８４】
有利には、ユーザは、眼科レンズを注文する前に、現実世界にわたる眼科レンズの視覚的効果を視覚化することができる。
【００８５】
本発明について、一般的な発明の概念を限定せずに、実施形態を用いて上述した。特に、視覚的効果特定ステップ中、更なる視覚的効果を特定し得る。眼科レンズのぼやけ及び／又は歪みは、特定し得る視覚的効果の例である。しかし、本発明は、そのような視覚的効果の特定に限定されない。
【００８６】
上記の例示的な実施形態を参照した上で、多くの更なる変更形態及び変形形態が当業者に示唆され、上記の例示的な実施形態は単なる例として与えられ、本発明の範囲を限定する意図はなく、本発明の範囲は添付の特許請求の範囲によってのみ特定される。
【００８７】
特許請求の範囲中、「備える」という用語は、他の要素又はステップを除外せず、不定冠詞「１つの（ａ）」又は「１つの（ａｎ）」は複数を除外しない。異なる特徴が相互に異なる従属クレームに記載されるという事実だけでは、有利にこれらの特徴の組合せを使用できないことを示さない。特許請求の範囲中の任意の参照符号は、本発明の範囲を限定するものとして解釈されるべきではない。
【図１】
2016532147.tif 000012
【図２】
2016532147.tif 000013
【図３】
2016532147.tif 000014
【国際調査報告】
2016532147.tif 000015
2016532147.tif 000016
2016532147.tif 000017